(57)【要約】  無影灯下においてスクリーンに表示される情報の医療行為者に対する視認性を向上させることを目的とする。  医療行為に伴って医療行為者が把握すべき定量的数値に関する情報を提供する情報提供装置から前記情報を取得する情報取得部と、取得された前記情報に関する画像データを生成する画像データ生成部と、前記画像データを描画するように、無影灯下で視認可能な照度を有する描画光を照射する光源の設置位置または前記描画光の照射位置を走査する光学系の稼働状態を制御する制御部と、を備える情報処理装置を提供する。
2018131262.tif 000002
【特許請求の範囲】
【請求項１】
医療行為に伴って医療行為者が把握すべき定量的数値に関する情報を提供する情報提供装置から前記情報を取得する情報取得部と、  取得された前記情報に関する画像データを生成する画像データ生成部と、  前記画像データを描画するように、無影灯下で視認可能な照度を有する描画光を照射する光源の設置位置、または、前記描画光の照射位置を走査する光学系の稼働状態を制御する制御部と、を備える情報処理装置。
【請求項２】
前記光源はレーザ光源である、請求項１に記載の情報処理装置。
【請求項３】
前記情報取得部は、前記定量的数値に関する情報とあわせて、前記情報の種別を表すヘッダ情報を取得する、請求項２に記載の情報処理装置。
【請求項４】
前記情報取得部が前記情報提供装置から取得した前記情報のうちから描画する前記情報を選択する情報選択部を備える、請求項２に記載の情報処理装置。
【請求項５】
前記情報選択部は、医療行為者が操作する操作部からの出力に基づいて、描画する前記情報を選択する、請求項４に記載の情報処理装置。
【請求項６】
医療行為と描画する前記情報とが関連付けられたデータベースを記憶する記憶部を備え、  前記情報選択部は、前記データベースを参照して前記医療行為に応じて、描画する前記情報を選択する、請求項４に記載の情報処理装置。
【請求項７】
前記情報選択部は、前記情報提供装置の設定値の変更に応じて、表示する前記情報を選択する、請求項４に記載の情報処理装置。
【請求項８】
前記情報選択部は、前記情報提供装置の動作状態に応じて、表示する前記情報を選択する、請求項４に記載の情報処理装置。
【請求項９】
前記情報選択部は、前記情報提供装置が計測する数値の変化に基づいて、表示する前記情報を選択する、請求項４に記載の情報処理装置。
【請求項１０】
前記情報選択部は、前記情報提供装置が計測する数値が所定の閾値に到達したことに基づいて、表示する前記情報を選択する、請求項９に記載の情報処理装置。
【請求項１１】
前記情報取得部は、前記情報提供装置に表示されている情報を撮像する撮像装置からの撮像画像を処理して、前記情報提供装置に関する前記情報を取得する、請求項２に記載の情報処理装置。
【請求項１２】
医療行為または患者の状態に関する情報を提供する情報提供装置から前記情報を取得することと、  取得された前記情報に関する画像データを生成することと、  前記画像データを描画するように、無影灯下で視認可能な照度を有する描画光を照射する光源の設置位置または前記描画光の照射位置を走査する光学系の稼働状態を制御することと、を含む情報処理方法。
【請求項１３】
プロセッサに、  医療行為または患者の状態に関する情報を提供する情報提供装置から前記情報を取得することと、  取得された前記情報に関する画像データを生成することと、  前記画像データを描画するように、無影灯下で視認可能な照度を有する描画光を照射する光源の設置位置または前記描画光の照射位置を走査する光学系の稼働状態を制御することと、を行わせるプログラム。
【請求項１４】
所定の材質から成る基板と、  前記基板上に、無影灯下で視認可能な照度を有する描画光を用いて画像を描画する情報描画装置からの前記描画光の波長について他の光の波長よりも高い反射率を有する選択反射層と、を備えるスクリーン。
【請求項１５】
前記選択反射層は、異なる屈折率を有する材質が交互に積層された多層膜から構成される、請求項１４に記載のスクリーン。
【請求項１６】
前記選択反射層が形成される面の反対側または前記スクリーンの側面に、医療行為者の視野内に前記スクリーンを設置するための保持部を備える請求項１４に記載のスクリーン。
【請求項１７】
前記保持部は屈曲可能である、請求項１６に記載のスクリーン。
【請求項１８】
前記選択反射層上に撥水層を備える、請求項１４に記載のスクリーン。
【請求項１９】
無影灯下で視認可能な照度を有する描画光を照射する光源と、  前記描画光の照射位置を走査する光学系と、  医療行為に伴って医療行為者が把握すべき定量的数値に関する情報を提供する情報提供装置から前記情報を取得する情報取得部と、  取得された前記情報に関する画像データを生成する画像データ生成部と、  前記画像データを描画するように、前記光源の設置位置または前記光学系の稼働状態を制御する制御部と、を備える情報描画装置と、  所定の材質から成る基板と、  前記基板上に、前記情報描画装置からの前記描画光の波長に対して他の光の波長よりも高い反射率を有する選択反射層と、を備えるスクリーンから構成される、情報描画システム。
【発明の詳細な説明】
【技術分野】
【０００１】  本開示は、情報処理装置、情報処理方法、プログラム、スクリーンおよび情報描画システムに関する。
【背景技術】
【０００２】  各種の外科手術などにおいて、術者は血圧、心拍数、出血量などの患者の生体情報または医療用装置の設定値などの様々な情報を麻酔科医または看護師などの補助者に確認し、そして補助者から提供された情報を記憶しながら手術を行っている。このような補助者から術者への情報の提供は、主に口頭によって伝達される。これは、手術が行われている術部は清潔でなければならないため、術者の近くにいる補助者がメモを書くなどして、術部の清潔さを損なうような方法で術者に情報を提示することができないからである。また、一般的に手術は無影灯下で行われるため、補助者がメモを記載して当該メモを術者に提示しても、平坦な光沢面は無影灯の光を強く反射するため術者による確認が困難となることがある。【０００３】  かかる情報伝達に関し、特許文献１には、情報を術者に提供するための表示装置が開示されている。特許文献１に開示されている表示装置は、無影灯の光を遮光する遮光板を備え、当該遮光板によって遮光された位置に情報を表示するためのパネルが設置されている。
【先行技術文献】
【特許文献】
【０００４】
【特許文献１】特開２００５−２９２４５３号公報
【発明の概要】
【発明が解決しようとする課題】
【０００５】  特許文献１に開示されている表示装置では、術者は情報を視認できるものの、無影灯からの照明光が遮光されるため、術部における照度が不足するおそれがあった。そこで本開示では、無影灯下においてもより確実に術者に対して情報を提供することが可能な、情報処理装置、情報処理方法、プログラム、スクリーンおよび情報描画システムが提案される。
【課題を解決するための手段】
【０００６】  本開示によれば、医療行為に伴って医療行為者が把握すべき定量的数値に関する情報を提供する情報提供装置から前記情報を取得する情報取得部と、取得された前記情報に関する画像データを生成する画像データ生成部と、前記画像データを描画するように、無影灯下で視認可能な照度を有する描画光を照射する光源の設置位置または前記描画光の照射位置を走査する光学系の稼働状態を制御する制御部と、を備える情報処理装置が提供される。【０００７】  また、本開示によれば、医療行為または患者の状態に関する情報を提供する情報提供装置から前記情報を取得することと、取得された前記情報に関する画像データを生成することと、前記画像データを描画するように、無影灯下で視認可能な照度を有する描画光を照射する光源の設置位置または前記描画光の照射位置を走査する光学系の稼働状態を制御することと、を含む情報処理方法が提供される。【０００８】  また、本開示によれば、プロセッサに、医療行為または患者の状態に関する情報を提供する情報提供装置から前記情報を取得することと、取得された前記情報に関する画像データを生成することと、前記画像データを描画するように、無影灯下で視認可能な照度を有する描画光を照射する光源の設置位置または前記描画光の照射位置を走査する光学系の稼働状態を制御することと、を行わせるプログラムが提供される。【０００９】  また、本開示によれば、所定の材質から成る基板と、前記基板上に、無影灯下で視認可能な照度を有する描画光を用いて画像を描画する情報描画装置からの前記描画光の波長に対して他の光の波長よりも高い反射率を有する選択反射層と、を備えるスクリーンが提供される。【００１０】  また、本開示によれば、無影灯下で視認可能な照度を有する描画光を照射する光源と、前記描画光の照射位置を走査する光学系と、医療行為に伴って医療行為者が把握すべき定量的数値に関する情報を提供する情報提供装置から前記情報を取得する情報取得部と、取得された前記情報に関する画像データを生成する画像データ生成部と、前記画像データを描画するように、前記光源の設置位置または前記光学系の稼働状態を制御する制御部と、を備える情報描画装置と、所定の材質から成る基板と、前記基板上に、前記情報描画装置からの前記描画光の波長に対して他の光の波長よりも高い反射率を有する選択反射層と、を備えるスクリーンから構成される、情報描画システムが提供される。
【発明の効果】
【００１１】  以上説明したように本開示によれば、無影灯下においてもより確実に術者に対して情報を提供することが可能となる。【００１２】  なお、上記の効果は必ずしも限定されず、上記の効果とともに、または上記の効果に代えて、本明細書に示されたいずれかの効果、または本明細書から把握され得る他の効果が奏されてもよい。
【図面の簡単な説明】
【００１３】
【図１】図１は、一般的な手術の環境を示す図である。
【図２】図２は、本開示の実施形態に係る情報描画システムの構成の一例を示すブロック図である。
【図３】図３は、本開示の実施形態に係る情報描画システムの構成の一例を示す図である。
【図４】図４は、本開示の実施形態に係るコントローラの構成の一例を示すブロック図である。
【図５】図５は、本開示の実施形態の情報取得部における画像処理方法の一例を示す図である。
【図６】図６は、本開示の実施形態における情報の表示方法の一例を示す図である。
【図７】図７は、本開示の実施形態のコントローラにおける処理の一例を示すフロー図である。
【図８】図８は、本開示の実施形態の記憶部に記憶されるデータベースの一例を示す図である。
【図９】図９は、本開示の実施形態のコントローラにおける処理の一例を示すフロー図である。
【図１０】図１０は、無影灯のスペクトルの一例を示すグラフである。
【図１１】図１１は、無影灯のスペクトルの一例を示すグラフである。
【図１２】図１２は、本開示の実施形態のスクリーンの構成の一例を示す図である。
【図１３】図１３は、本開示の実施形態のスクリーンの選択反射層の構成の一例を示す図である。
【図１４】図１４は、本開示の実施形態のスクリーンの選択反射層の反射率の特性の一例を示すグラフである。
【図１５】図１５は、本開示の実施形態のスクリーンの選択反射層の構成の一例を示す図である。
【図１６】図１６は、本開示の実施形態のスクリーンの選択反射層の反射率の特性の一例を示すグラフである。
【図１７】図１７は、本開示の実施形態のスクリーンの選択反射層の構成の一例を示す図である。
【図１８】図１８は、本開示の実施形態のスクリーンの選択反射層の反射率の特性の一例を示すグラフである。
【図１９】図１９は、本開示の実施形態におけるスクリーンに備えられる保持部の一例を示す図である。
【図２０】図２０は、本開示の実施形態におけるスクリーンの設置例を示す図である。
【図２１】図２１は、本開示の実施形態におけるスクリーンに備えられる保持部の一例を示す図である。
【図２２】図２２は、本開示の実施形態におけるスクリーンの設置例を示す図である。
【図２３】図２３は、本開示の実施形態に係るコントローラのハードウェア構成の一例を模式的に示したブロック図である。
【発明を実施するための形態】
【００１４】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】  なお、説明は以下の順序で行う。  ０．一般的な手術環境について  １．情報描画システムの構成例について    １−１．情報描画システムの全体構成について    １−２．コントローラの構成例について    １−３．コントローラの処理例について  ２．スクリーンについて    ２−１．スクリーンの構成について    ２−２．スクリーンの設置方法について    ２−３．スクリーンの他の構成例について  ３．ハードウェア構成  ４．補足  ５．むすび
【００１６】  ＜＜０．一般的な手術環境について＞＞  図１は、一般的な手術室の環境を表す模式図である。一般的な手術環境では、無影灯８００下でドレープ７００を掛けられた患者１８が手術台に横たわっており、複数人の医療行為者が患者１８を囲むように位置する。医療行為者としては、例えば手術の執刀を行う術者１０がおり、術者１０に手術で使用する器具を渡す器具出し補助者１２がおり、術者１０の指示によって医療用装置の設定値を設定する外回り補助者１４がおり、麻酔のコントロールを行う麻酔科医１６がいる。なお、上述した医療行為者は一例であって、これらに限定されない。
【００１７】  上述したような環境において術者１０は、例えば麻酔科医１６に血圧を上昇させるように指示を行い、血圧の値が術者１０が指示した値になったかどうかを麻酔科医１６に確認することがある。また術者１０は、外回り補助者１４に医療用器具の設定を変更するように指示を行い、医療用器具の設定値が術者１０が指示した値になったかどうかを外回り補助者１４に確認することがある。
【００１８】  以上のような術者１０からの指示に対する情報の提示は、メモによってなされることが考えられる。しかしながら術者１０に医療器具を渡す器具出し補助者１２は、手術に使用する器具に触れるためその他の不潔な物に触れることができず、メモを取ることができない。また外回り補助者１４は、清潔ではない物に触れることができる一方、清潔な物には触れることができない。よって外回り補助者１４は、たとえメモを取ったとしても清潔である必要性がある術野の近くにメモを提示することができない。また、器具出し補助者１２または外回り補助者１４が白い紙によりなるメモを術者１０に提示したとしても、無影灯８００下では光の反射が強く、術者１０が視認することが困難である。また術者１０は術野に注視できることが好ましいため、メモを視認するために視線を大きく動かすことは好ましくない。
【００１９】  よって上述したような指示および確認は主に口頭連絡によって随時行われ、術者１０は口頭連絡によって情報を取得し、定量的な数値を記憶して手術を行っている。
【００２０】  また電子メスのようなノイズを発生させるおそれがある医療器具は、外回り補助者１４から離れた位置に設置されることがあり、外回り補助者１４が設定値の確認を行うために時間がかかることがある。術者１０は、このような状況において外回り補助者１４が設定値を確認するまで手術の進行を止めなければならないため、手術の進行にタイムロスが生じている。
【００２１】  よって本実施形態では、術者１０が術野から大きく視線を移動させることなく、術者１０が把握すべき定量的な数値を提供できる情報描画システムを提案する。
【００２２】  ＜＜１．情報描画システムの構成例について＞＞    ＜１−１．情報描画システムの全体構成について＞  図２は、本実施形態の情報描画システムの全体構成の一例を示す図である。本実施形態の情報描画システムは、血圧のような患者１８の生体情報または電気メスまたは超音波メスなどの医療機器の設定値または手術台の角度などの術者１０が把握すべき定量的な数値をスクリーン６００に描画するシステムである。
【００２３】  図２に示されるように情報描画システムは、複数の情報提供装置１００から情報を受け取ってスクリーン６００に描画光を照射する情報描画装置２００と、スクリーン６００とから構成される。また情報描画システムは、情報提供装置１００に表示される情報を撮像する撮像装置１２０と、医療行為者によって操作される操作部３０２とを備えてもよい。情報提供装置１００は、例えば、血圧を測定する機器、出血量を測定する機器、電気メスのモードおよび出力値を設定する機器および時間計測機器のような、術者１０が把握すべき定量的な数値を提供する装置である。情報提供装置１００は、提供する数値情報がどのような種類の情報であるかを示すヘッダ情報を数値情報と共に情報描画装置２００に提供してもよい。ヘッダ情報は、例えば、血圧、脈拍、時間、医療用機器の名称または医療用機器のモードの名称などを示す情報である。撮像装置１２０は、情報提供装置１００が数値情報等を外部機器に出力できない場合に情報提供装置１００に表示される情報を撮像し、撮像した画像データを情報描画装置２００に送信するための装置である。撮像装置１２０は情報提供装置１００ごとに設置され、各撮像装置１２０が撮像する情報のヘッダ情報を情報描画装置２００に提供してもよい。なお、情報提供装置１００は上記の例に限定されない。
【００２４】  情報描画装置２００は、各部を制御するコントローラ３００と、描画光を照射する光源４００と、光源４００からの描画光の照射位置を走査するための光学系５００と、を備える。コントローラ３００は、情報処理装置の一例であり、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等によって実現される。また、コントローラ３００には、医療行為者によって操作される操作部３０２からの入力があってもよい。コントローラ３００の詳細な構成および処理については後述される。
【００２５】  光源４００は、コントローラ３００によって制御され、無影灯８００の光の下で視認可能な照度を有する描画光を照射する光源４００である。光源４００は、例えば、半導体素子を用いたレーザ光源４００であってもよい。半導体素子を用いたレーザ光源４００は、例えば、おおよそ波長６１０ｎｍ〜７８０ｎｍの赤色のレーザを照射する光源４００であってもよく、おおよそ波長４３０ｎｍ〜４６０ｎｍの青色のレーザを照射する光源４００であってもよく、おおよそ波長５００ｎｍ〜５７０ｎｍの緑色のレーザを照射する光源４００であってもよい。上述したような半導体素子を用いたレーザ光源４００は一般的にレーザポインタなどに使用されており、このような半導体素子を用いたレーザ光源４００が使用されることによって、本実施形態の情報描画装置２００は安価および小型に構成される。
【００２６】  また光源４００の波長に関して、赤色は医療行為者が見慣れている色であるので医療行為者の疲れが少ないと考えられる。また、緑色は術野に無い色であるので周囲に存在する器具とのコントラストが高くなるという利点がある。なお、光源４００は、無影灯８００の光の下で視認可能な照度を有する描画光を照射する光源４００であればよく、光源４００の構成は特に限定されない。本実施形態の情報描画システムでは、上述したような光源４００を用いて描画光を点で走査させることにより、プロジェクタ等の表示装置に比べて高い照度でスクリーン６００上に情報が表示される。これによって医療行為者は、無影灯８００下においても情報を視認することが可能となる。
【００２７】  光学系５００は、コントローラ３００によって制御され、光源４００から照射される描画光のスクリーン６００上での到達位置を走査するために使用される。なお、光源４００および光学系５００は、光照射部４０２と呼ばれてもよい。光照射部４０２の詳細な構成を図３に示す。
【００２８】  図３に示されるように光学系５００は、例えばスキャンミラー５０２と、スキャンレンズ５０４と、結像レンズ５０６と、を含んでもよい。また、スキャンミラー５０２は２次元のＭＥＭＳ（Ｍｉｃｒｏ  Ｅｌｅｃｔｒｏ  Ｍｅｃｈａｎｉｃａｌ  Ｓｙｓｔｅｍ）ミラーであってもよく、１次元のＭＥＭＳミラーが２つ用いられてもよい。
【００２９】  図３に示されるように、光源４００から照射された描画光は、スキャンミラー５０２に照射される。スキャンミラー５０２は、コントローラ３００によって稼働状態を制御されることによって、光源４００から照射された描画光をスキャンレンズ５０４に入射させる。スキャンレンズ５０４に入射された描画光は、スキャンレンズ５０４によって結像面で結像される。そして結像面で結像された描画光によって描画される画像が、結像レンズ５０６によってスクリーン６００上に表示される。
【００３０】  なおスキャンミラー５０２はＭＥＭＳミラーの代わりにガルバノミラーが用いられてもよく、またスキャンミラー５０２が駆動しない構成であれば、バリアングルプリズムが用いられてもよい。バリアングルプリズムは、２枚のガラスの間をフィルムで形成された蛇腹で結合し、２枚のガラスの間を透明な高屈折率の液体で満たした構造を有している。また光学系５００は、光源４００からの描画光をスクリーン６００上で走査する構成であればよく、上述したように光学系５００の構成は特に限定されない。また、情報描画装置２００は、光学系５００を備えず、光源４００の設置位置を直接動かすことによって、描画光を用いて画像をスクリーン６００上に描画してもよい。
【００３１】    ＜１−２．コントローラの構成例について＞  以上では、本実施形態の情報描画システムの全体構成について説明された。以下では、本実施形態のコントローラ３００の構成例について説明される。コントローラ３００は、情報提供装置１００から情報を取得し、光源４００および光学系５００を制御するための装置である。図４に示されるように、コントローラ３００は、情報取得部３０４と、情報選択部３０６と、画像データ生成部３０８と、制御部３１０と、記憶部３１２とを備える。
【００３２】  情報取得部３０４は、複数の情報提供装置１００から患者１８の生体情報または医療用機器の設定値などの数値情報と、数値情報がどのような情報であるかを示すヘッダ情報とを取得する。また、情報取得部３０４は、情報提供装置１００に表示されている情報を撮像する撮像装置１２０から撮像画像を取得してもよい。上述したように撮像装置１２０は情報提供装置１００ごとに設置され、情報取得部３０４は各撮像装置１２０が撮像する情報のヘッダ情報を撮像装置１２０から撮像画像と共に取得してもよい。
【００３３】  図５は、情報取得部３０４が取得した撮像装置１２０からの撮像画像の処理方法を示す図である。６０４Ａは撮像装置１２０が撮像した撮像画像であり、情報取得部３０４は６０４Ｂで示されるように、数値が表示されている画像領域を６０４Ａで示される撮像画像から切り出す。そして情報取得部３０４は、切り出した画像に対してコントラスト調整および２値化を行う。次に情報取得部３０４は６０４Ｃで示されるように、６０４Ｂで処理された画像を反転させる。情報取得部３０４は、このような画像処理を行うことにより、撮像装置１２０から情報を取得する。ここで情報取得部３０４は撮像画像に基づく文字認識を行わないことにより、誤った数値が医療行為者に提示されることが防止される。医療行為において誤った情報が医療行為者に提供されることは、医療ミスにつながるため、誤認識を防ぐことは重要である。しかしながら、現在の文字認識技術は高度に発展しているため誤認識の確率は低く、より認識された文字情報を視認しやすい書体に変更するなど情報処理の自由度を向上させるために、情報取得部３０４は、撮像画像に基づく文字認識処理を行ってもよい。なお文字認識処理の具体的な方法は特に限定されず、例えばエッジ検出など従来から公知である技術によって行われてもよい。
【００３４】  図４に戻って、情報取得部３０４は、上述したように情報提供装置１００から直接取得したまたは撮像装置１２０から取得した数値情報およびヘッダ情報を、情報選択部３０６に送る。情報選択部３０６は、受け取ったヘッダ情報に基づいて情報取得部３０４から受け取った複数の数値情報のうちから描画光によって描画する数値情報を選択する。情報選択部３０６は、医療行為者が操作する操作部３０２からの出力に応じて情報の選択を行ってもよく、後述するように記憶部３１２に記憶されている医療行為と選択される情報とが関連付けられたデータベースに基づいて情報を選択してもよい。
【００３５】  このように情報選択部３０６が情報を選択することによって、医療行為者が状況に応じて認識すべき情報が医療行為者に提示される。医療行為者は医療行為中に多くの情報を提示されても、どの情報が重要な情報であるかを区別することは難しく、情報選択部３０６によって提示される情報が選択されることは、医療行為者が重要な情報を確実に認識するために有益である。また多数の情報が選択されずに医療行為者に提示される場合、医療行為者は情報を誤認識する可能性があり、このような情報の誤認識は医療ミスにつながるため、防止されることが好ましい。このような観点からも情報選択部３０６によって、医療行為者に提示される情報が選択されることは有用である。
【００３６】  なお操作部３０２は、フットペダルであってもよく、医療行為者の声を認識して選択する情報を出力する音声認識部であってもよい。医療行為者はフットペダルを用いることによって確実に情報を選択することができ、また音声認識によって医療行為者は体を動かさずに情報を選択することができる。上述したように確実に情報を選択できることは医療行為者による情報の誤認識を防ぐために有益であり、体を動かさずに情報を選択できることは、微細な体の動きが医療ミスにつながる医療現場（特に手術時）において有益である。なお操作部３０２は、医療行為者が情報を選択できる構成であればよく、特にその構成は限定されない。
【００３７】  画像データ生成部３０８は、情報選択部３０６によって選択された情報に基づいて光源４００から照射される描画光を用いて描画する画像データを生成する。例えば情報選択部３０６によって選択された情報が、電気メスの凝固モードの設定値である場合、「Ｐｏｗｅｒ  Ｃｏ  １２３４」のような画像データを生成する。ここで「Ｐｏｗｅｒ  Ｃｏ」は電気メスの凝固モードの設定値を示す情報であり、ヘッダ情報に基づいて生成される。また「１２３４」は情報提供装置１００の１つである電気メスの制御装置から取得された数値情報に基づいて生成される。
【００３８】  制御部３１０は、情報描画装置２００の各部を制御し、例えばＣＰＵ、ＲＯＭまたはＲＡＭから構成されてもよい。図４に示されるように制御部３１０は、撮像装置１２０、光源４００および光学系５００を制御してもよい。制御部３１０は、画像データ生成部３０８から受け取った画像データに基づく画像がスクリーン６００上に描画光によって描画されるように、光源４００および光学系５００を制御する。
【００３９】  図６は、上述された情報描画システムによって情報が提示される様子を示す図である。図６では、上述した画像データ生成部３０８によって生成された画像が、術部近くのドレープ７００上に設置されたスクリーン６００に描画光によって描画される。図６からわかるように、スクリーン６００上では、ヘッダ情報がヘッダ情報表示領域６０２に表示され、ヘッダ情報に関連する数値情報が数値情報表示領域６０４に表示される。このように無影灯８００の光の下で視認可能なように術部近くに情報が提示されることによって、医療行為者は補助者に数値情報等の確認を行わずに情報を確認することができる。これによって医療行為者は、医療行為をタイムロスなく進行することができる。また、医療行為者が補助者から口頭にて連絡された情報を聞き間違うことによる誤認識が防止される。
【００４０】    ＜１−３．コントローラの処理例について＞  以上では、コントローラ３００の構成について説明された。以下では、コントローラ３００において実行される処理例について説明される。図７は、コントローラ３００において実行される基本的な処理を表すフロー図である。
【００４１】  最初にＳ１０２において情報取得部３０４は、複数の情報提供装置１００または撮像装置１２０から数値情報および当該数値情報の種別を表すヘッダ情報を取得する。次にＳ１０４において情報選択部３０６は、情報取得部３０４から数値情報およびヘッダ情報を受け取り、操作部３０２からの出力に基づいて、または記憶部３１２に記憶されているデータベースに基づいて、医療行為者に提示する情報を選択する。情報選択部３０６が、記憶部３１２に記憶されているデータベースに基づいて情報を選択する処理については後述する。
【００４２】  次にＳ１０６において画像データ生成部３０８は、情報選択部３０６が選択した情報に基づいて、ヘッダ情報および数値情報に関する画像データを生成する。そしてＳ１０８において制御部３１０は、画像データ生成部３０８が生成した画像データを描画するように、光源４００および光学系５００を制御する。
【００４３】  以上では、コントローラ３００において実行される基本的な処理例について説明された。ここで図７のＳ１０４において、情報選択部３０６が記憶部３１２に記憶されているデータベースに基づいて情報を選択する処理について説明される。図８は、記憶部３１２に記憶される、医療行為と選択される情報とが関連付けられたデータベースの例を示す図である。
【００４４】  例えば医療行為者によって実施される医療行為は、図８に示されるように「切開」、「動脈遮断」、「閉腹」などの医療行為であってもよく、選択される情報は各医療行為と関連付けられている。例えば「切開」が行われる際においては出血量および電気メスの設定値が重要な情報であるので、「切開」には「出血量」および「電気メスの設定値」が選択される情報として関連付けられる。同様に、医療行為である「動脈遮断」においては、動脈が遮断されてからの経過時間が重要な情報であるので、「動脈遮断からの経過時間」が選択される情報として関連付けられる。また、医療行為である「閉腹」においては、使用されたガーゼが腹部に取り残されてはいけないので、「ガーゼの枚数」が選択される情報として関連付けられる。
【００４５】  また、本実施形態の情報描画システムは、呼吸器外科手術、肝臓手術、消化管手術、循環器外科手術、脳外科手術のような様々な手術に用いられることができる。よって例えば、データベースでは医療行為の一例である手術の術式と選択される情報とが関連付けられてもよい。例えば、呼吸器外科手術および肝臓手術は太い血管がある部分に対する手術であるため、出血量の管理が重要である。よってデータベースでは、医療行為としての「呼吸器外科手術」および「肝臓手術」と選択される情報としての「出血量」とが関連付けられてもよい。また、循環器外科手術および脳外科手術においては電気メスの設定値が頻繁に変更されるので、電気メスの設定値が重要な情報である。よってデータベースでは、医療行為としての「循環器外科手術」および「脳外科手術」と選択される情報としての「電気メスの設定値」とが関連付けられてもよい。
【００４６】  上述したように医療行為と選択される情報が関連付けられたデータベースに基づいて、情報選択部３０６は医療行為者に提示する情報を選択する。例えば情報選択部３０６は、情報提供装置１００の稼働状況から「切開」が行われていると判断すると、「出血量」および／または「電気メスの設定値」を医療行為者に提示する情報として選択する。また情報選択部３０６は、音声認識部からの情報に基づいて、どのような医療行為が行われているかを推定してもよい。例えば、会話の中で、「切開」という言葉が所定の頻度以上検出されると、情報選択部３０６は「切開」が行われていると推定し、データベースに基づいて医療行為者に提示する情報を選択してもよい。また情報選択部３０６は、医療行為（例えば手術）が開始されてからの経過時間に基づいて実施されている医療行為を推定してもよい。
【００４７】  またデータベースでは、各医療行為におけるステップと選択される情報とが関連付けられてもよい。例えば医療行為として、「開腹」、「動脈遮断」、「閉腹」のステップを含む手術が行われる場合、各ステップに応じた情報が選択される。つまり、動脈遮断を伴う手術における開腹のステップでは、「出血量」または「電気メスの設定値」が、提示される情報として選択される。また動脈遮断のステップでは、「動脈遮断からの経過時間」が提示される情報として選択される。また閉腹のステップでは、「ガーゼの枚数」が提示される情報として選択される。このように、医療行為における各ステップと選択される情報とが関連付けられることによって、医療行為の各ステップにおいて重要である情報が適切に選択されて医療行為者に提示される。これにより医療行為者は、適切なタイミングで適切な情報を容易に認識することができる。
【００４８】  以上では、記憶部３１２に記憶されるデータベースと、当該データベースを用いて情報選択部３０６が情報を選択する処理について説明された。次に図９では、様々な情報に基づいて情報選択部３０６が医療行為者に提示される情報を選択する処理の例が説明される。例えばＳ２０２において情報選択部３０６は、情報提供装置１００の動作状態に変更があったか否かを判定する。ここでは例えば情報選択部３０６は、情報提供装置１００の電源が投入されたことを検知してもよく、情報提供装置１００の動作モードが変更されたことを検知してもよい。情報選択部３０６は、Ｓ２０２において情報提供装置１００の動作状態が変更されたことを検知すると、Ｓ２０４において動作状態に変更があった情報提供装置１００に関する情報を選択する。
【００４９】  次にＳ２０６において情報選択部３０６は、操作部３０２が医療行為者によって操作されたか否かを判定する。情報選択部３０６は、Ｓ２０６において操作部３０２が医療行為者によって操作されたことを検知すると、操作部３０２からの出力に基づいて情報を選択する（Ｓ２０８）。
【００５０】  次にＳ２１０において情報選択部３０６は、情報提供装置１００から取得される所定の数値情報が所定の閾値に達したか否かを判定する。ここでは例えば情報選択部３０６は、出血量が所定の閾値に達したことを検知してもよい。情報選択部３０６は、Ｓ２１０において情報提供装置１００から取得される所定の数値情報が所定の閾値に達したことを検知すると、Ｓ２１２において所定の閾値に達した情報を選択する。
【００５１】  次にＳ２１４において情報選択部３０６は、情報提供装置１００の設定値が変更されたか否かを判定する。ここでは例えば情報選択部３０６は、電気メスの設定値が変更されたことを検知してもよい。情報選択部３０６は、Ｓ２１４において情報提供装置１００の設定値が変更されたことを検知すると、Ｓ２１６において変更された設定値を選択する。上述したように、情報選択部３０６は、様々な情報に基づいて描画すべき情報を選択する。このように構成されることによって、本実施形態の情報描画装置２００は、様々なタイミングでそのタイミングに適した情報を医療行為者に提示することができる。
【００５２】    ＜＜２．スクリーンについて＞＞  以上では、本実施形態の情報描画装置２００の構成について説明された。以下では、本実施形態で用いられるスクリーン６００の構成について説明される。上述したように本実施形態の情報描画装置２００は無影灯８００下で使用されるため、無影灯８００の光の下で視認可能な照度を有する描画光が用いられる。このような描画光が使用される情報描画装置２００では、無影灯８００の光を吸収し、描画光の波長に対する反射率が相対的に高いスクリーン６００が用いられることによって、さらに医療行為者は提示される情報を視認しやすくなる。よって本実施形態では、無影灯８００の光を吸収する層と、描画光の波長に対して相対的に高い反射率を有する層を含むスクリーン６００が使用される。
【００５３】  当該スクリーン６００の特徴を説明するために、最初に無影灯８００の波長スペクトルについて説明される。図１０は、ＬＥＤ（Ｌｉｇｈｔ  Ｅｍｉｔｔｉｎｇ  Ｄｉｏｄｅ）を光源とする無影灯８００のスペクトルを表すグラフである。図１０に示される無影灯８００のスペクトルでは、４５０ｎｍ付近の波長の光の強度および５４０〜６５０ｎｍ付近の波長の光の強度が強くなっている一方、４８０〜４９０ｎｍの波長の光の強度は弱くなっている。したがって、このようなスペクトルを有する無影灯８００に対しては、４８０〜４９０ｎｍの波長を有する光が描画光として用いられることが好ましい。また、スクリーン６００は４８０〜４９０ｎｍの波長の光に対して他の波長の光に比べて比較的高い反射率を有することが好ましい。
【００５４】  次に図１１は、キセノンランプを光源とする無影灯８００のスペクトルを表すグラフである。図１１に示される無影灯８００のスペクトルでは、特に光の強度が弱い波長域は存在しない。しかしながらこのようなスペクトルを有する無影灯８００が使用される状況においても、スクリーン６００が描画光の波長を選択的に反射し、その他の波長の光を吸収することによって、医療行為者はスクリーン６００に表示される情報を視認しやすくなる。
【００５５】    ＜２−１．スクリーンの構成について＞  図１２は、本実施形態のスクリーン６００の構成の例を示す図である。図１２に示されるように本実施形態のスクリーン６００は、基板６０６と、光吸収層６０８と、選択反射層６１０と、から構成される。基板６０６は、例えばアルミニウムが用いられてもよく、その上部に光吸収層６０８として黒色アルマイト加工が施される。ここで黒色アルマイトの屈折率ｎは、１．７である。また、光吸収層６０８の上には、上述したように描画光の波長を選択的に反射する選択反射層６１０が形成される。選択反射層６１０の構成については以下に詳述される。
【００５６】  図１３は、本実施形態のスクリーン６００に形成される選択反射層６１０の一例の構成を示す図である。選択反射層６１０は、高屈折率膜６１２と高屈折率膜６１２よりも低い屈折率を有する低屈折率膜６１４が交互に積層された多層膜で構成される。ここで高屈折率膜６１２には、例えば屈折率ｎが２．０である五酸化タンタル（Ｔａ２Ｏ５）が用いられてもよく、低屈折率膜６１４には、例えば屈折率ｎが１．４７である二酸化ケイ素（ＳｉＯ２）が用いられてもよい。なお図１３では、高屈折率膜６１２と低屈折率膜６１４が交互に合計して４層積層されて形成される選択反射層６１０について説明される。
【００５７】  本実施形態の情報描画システムにおいて６４０ｎｍの描画光が用いられると仮定すると、例えば高屈折率膜６１２の膜厚Ｚ１は２５６ｎｍ（Ｚ１＝６４０ｎｍ／２×０．８０）が好ましく、低屈折率膜６１４の膜厚Ｚ２は２６１ｎｍ（Ｚ２＝６４０ｎｍ／１．４７×０．６０）が好ましい。
【００５８】  図１４は、図１３で示された選択反射層６１０の反射率を表すグラフである。図１４から理解されるように、図１３で示された選択反射層６１０の構成は、描画光の波長である６４０ｎｍの波長に対して他の波長よりも高い反射率（反射率は２４．２％）を有する。
【００５９】  次に図１５は、図１３において示された選択反射層６１０の構成の他の例を示す図である。ここで図１５において示される選択反射層６１０の例では、図１３で示された選択反射層６１０と同様、高屈折率膜６１２に五酸化タンタル（Ｔａ２Ｏ５）が用いられ、低屈折率膜６１４に二酸化ケイ素（ＳｉＯ２）が用いられる。なお図１５では、高屈折率膜６１２と低屈折率膜６１４が交互に合計して８層積層されて形成される選択反射層６１０について説明される。
【００６０】  図１５で示される選択反射層６１０では、上述したように６４０ｎｍの描画光が用いられると仮定すると、高屈折率膜６１２の膜厚Ｚ１は２７２ｎｍ（Ｚ１＝６４０ｎｍ／２×０．８５）が好ましく、低屈折率膜６１４の膜厚Ｚ２は２７９ｎｍ（Ｚ２＝６４０ｎｍ／１．４７×０．６４）が好ましい。
【００６１】  図１６は図１５で示された選択反射層６１０の反射率を表すグラフであり、図１６から理解されるように図１５で示された選択反射層６１０の構成は、描画光の波長である６４０ｎｍの波長に対して他の波長よりも高い反射率（反射率は４７．５％）を有する。また、図１６で示されるグラフにおける描画光の波長（６４０ｎｍ）に対する反射率（４７．５％）は、図１４で示された描画光の波長（６４０ｎｍ）に対する反射率（２４．２％）よりも高くなっていることがわかる。
【００６２】  図１７は、図１３および図１５において示された選択反射層６１０の構成の他の例を示す図である。ここで図１７において示される選択反射層６１０の例では、図１３および図１５で示された選択反射層６１０と同様、高屈折率膜６１２に五酸化タンタル（Ｔａ２Ｏ５）が用いられ、低屈折率膜６１４に二酸化ケイ素（ＳｉＯ２）が用いられる。なお図１７では、高屈折率膜６１２と低屈折率膜６１４が交互に合計して１２層積層されて形成される選択反射層６１０について説明される。
【００６３】  図１７で示される選択反射層６１０では、上述したように６４０ｎｍの描画光が用いられると仮定すると、図１５で示された選択反射層６１０の構成と同様、高屈折率膜６１２の膜厚Ｚ１は２７２ｎｍ（Ｚ１＝６４０ｎｍ／２×０．８５）が好ましく、低屈折率膜６１４の膜厚Ｚ２は２７９ｎｍ（Ｚ２＝６４０ｎｍ／１．４７×０．６４）が好ましい。
【００６４】  図１８は、図１７で示された選択反射層６１０の反射率を表すグラフであり、図１８から理解されるように、図１７で示された選択反射層６１０の構成は、描画光の波長である６４０ｎｍの波長に対して他の波長よりも高い反射率（反射率は８４％）を有する。また、図１８で示されるグラフにおける描画光の波長（６４０ｎｍ）に対する反射率（８４％）は、図１６で示された描画光の波長（６４０ｎｍ）に対する反射率（４７．５％）よりさらに高くなっていることがわかる。
【００６５】  なお、上述した選択反射層６１０において反射率が低い波長（例えば４５０ｎｍ付近および５００ｎｍ〜６００ｎｍの波長）の光は、光吸収層６０８に到達し、吸収される。一方、上述したように６４０ｎｍの波長（つまり赤色のレーザポインタの波長）の光の反射率は高いので、当該波長の光は光吸収層６０８に到達することなく反射される。したがって上述されたような構成を有するスクリーン６００が本実施形態の情報描画システムで用いられることにより、描画光が他の波長の光に比べて高い強度で反射されるため、医療行為者は描画光で提示される情報をより視認しやすくなる。また、選択反射層６１０において反射率が低い波長の光は光吸収層６０８で吸収されるため、医療行為者は描画光によって提示される情報をより視認しやすくなる。
【００６６】    ＜２−２．スクリーンの設置方法について＞  以上では、本実施形態の情報描画装置２００で用いられるスクリーン６００の構成について説明された。以下では、本実施形態で用いられるスクリーン６００の設置方法について説明される。図１９は、上述したスクリーン６００の選択反射層６１０が形成される面の反対側、つまりスクリーン６００の基板６０６の裏側を示す図である。図１９に示されるようにスクリーン６００の裏側には、医療行為者の視野内にスクリーン６００を設置するために用いられる保持部６１６が設けられる。
【００６７】  保持部６１６は、例えばドレープ７００と共に鉗子等の器具で挟み込まれることによって、ドレープ７００に固定される。また図１９に示されるように保持部６１６は、ドレープ７００等への固定が容易になるように、屈曲可能な薄い部材を折り曲げることにより立ち上がるような部品、あるいは立ち上がっている部材で構成される。
【００６８】  図２０は、図１９に示されるスクリーン６００がドレープ７００に固定された様子を示す図である。上述したようにスクリーン６００は、保持部６１６がドレープ７００と共に鉗子等の器具で挟み込まれることによって、ドレープ７００に固定される。また、図２０において矢印で示されるように、描画光はスクリーン６００の上部から照射され、描画光によってスクリーン６００上に医療行為者が把握すべき情報が描画される。このようにスクリーン６００が設置されることによって医療行為者である術者１０は、術野から目を離すことなく機器の設定値、血圧値、出血量などの定量的な数値を視認することができる。なおスクリーン６００は、術者１０の手技の邪魔にならないように、術者１０が医療器具を持っている手の反対側に設置されることが好ましい。
【００６９】  また保持部６１６は、図２１で示されるようにスクリーン６００の側面に設けられてもよい。このときスクリーン６００は、図２２で示されるようにフレームに固定されてもよい。
【００７０】    ＜２−３．スクリーンの他の構成例について＞  以上では、本実施形態で用いられるスクリーン６００の設置方法について説明された。以下では、スクリーン６００の他の構成例について説明される。本実施形態のスクリーン６００は医療行為に用いられるため、清潔であることが求められる。よって、スクリーン６００は使い捨てとされることが望ましい。このとき、スクリーン６００がプラスティック樹脂によって構成されることにより、保持部６１６がスクリーン６００と一体成型されることが可能であり、スクリーン６００は極めて安価に作成される。スクリーン６００が安価に作成されることにより、スクリーン６００は使い捨てとすることも可能となり、清潔の信頼性を向上させることができる。なおスクリーン６００の光学的特徴となる構成は、塗布方式などによって構成されてもよい。
【００７１】  またスクリーン６００は滅菌処理が可能であることが好ましい。よってスクリーン６００の材料は、滅菌処理に耐えることができ、安価に作成でき、膜の形成が可能である材料であることが好ましい。またスクリーン６００の材質は、スクリーン６００が固定されたときにスクリーン６００の平坦性が維持されることが好ましいため、ある程度の硬度が要求される。よってスクリーン６００は、ポリスチレン、ポリカーボネート、ポリメタクリル酸メチル樹脂、アクリル樹脂、ポリサルフォンなどの材料によって構成されることが好ましい。また、スクリーン６００の材料は高密度ポリエチレンまたはフッ素樹脂であってもよく、このとき表面改質などの処理が行われることによって、選択反射層６１０などの形成が容易となる。
【００７２】  また本実施形態のスクリーン６００は、手術などのスクリーン６００表面に血液などの液体が付着する環境で使用されることが想定される。よってスクリーン６００の表面には撥水加工が施されていることが好ましい。このようにスクリーン６００の表面に撥水加工が施されることによって、補助者がガーゼで液体を容易に除去できる。撥水加工の例としては、フッ素樹脂が光学的な影響が現れない数ｎｍの厚さで塗布される方法あるいは、成膜により撥水材料をスクリーン６００の表面にコーティングする方法などがある。
【００７３】  ＜＜３．ハードウェア構成＞＞  以下では、図２３を参照しながら、本開示の実施形態に係るコントローラ３００のハードウェア構成について、詳細に説明する。図２３は、本開示の実施形態に係るコントローラ３００のハードウェア構成を説明するためのブロック図である。
【００７４】  コントローラ３００は、主に、ＣＰＵ９０１と、ＲＯＭ９０３と、ＲＡＭ９０５と、を備える。また、コントローラ３００は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【００７５】  ＣＰＵ９０１は、中心的な処理装置及び制御装置として機能し、ＲＯＭ９０３、ＲＡＭ９０５、ストレージ装置９１９、又はリムーバブル記録媒体９２７に記録された各種プログラムに従って、コントローラ３００内の動作全般又はその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【００７６】  ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００７７】  入力装置９１５は、例えば、マウス、キーボード、タッチパネル、ボタン、スイッチ及びレバーなどユーザが操作する操作手段である。また、入力装置９１５は、例えば、赤外線やその他の電波を利用したリモートコントロール手段（いわゆる、リモコン）であってもよいし、コントローラ３００の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。ユーザは、この入力装置９１５を操作することにより、コントローラ３００に対して各種のデータを入力したり処理動作を指示したりすることができる。
【００７８】  出力装置９１７は、取得した情報をユーザに対して視覚的又は聴覚的に通知することが可能な装置で構成される。このような装置として、ＣＲＴディスプレイ装置、液晶ディスプレイ装置、プラズマディスプレイ装置、ＥＬディスプレイ装置及びランプなどの表示装置や、スピーカ及びヘッドホンなどの音声出力装置や、プリンタ装置、携帯電話、ファクシミリなどがある。出力装置９１７は、例えば、コントローラ３００が行った各種処理により得られた結果を出力する。具体的には、表示装置は、コントローラ３００が行った各種処理により得られた結果を、テキスト又はイメージで表示する。他方、音声出力装置は、再生された音声データや音響データ等からなるオーディオ信号をアナログ信号に変換して出力する。
【００７９】  ストレージ装置９１９は、コントローラ３００の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶デバイス、半導体記憶デバイス、光記憶デバイス、又は光磁気記憶デバイス等により構成される。このストレージ装置９１９は、ＣＰＵ９０１が実行するプログラムや各種データ、及び外部から取得した各種データなどを格納する。
【００８０】  ドライブ９２１は、記録媒体用リーダライタであり、コントローラ３００に内蔵、あるいは外付けされる。ドライブ９２１は、装着されている磁気ディスク、光ディスク、光磁気ディスク、又は半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、又は半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙ（登録商標）メディア等である。また、リムーバブル記録媒体９２７は、コンパクトフラッシュ（登録商標）（ＣｏｍｐａｃｔＦｌａｓｈ：ＣＦ）、フラッシュメモリ、又は、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。
【００８１】  接続ポート９２３は、機器をコントローラ３００に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、コントローラ３００は、外部接続機器９２９から直接各種データを取得したり、外部接続機器９２９に各種データを提供したりする。
【００８２】  通信装置９２５は、例えば、通信網９３１に接続するための通信デバイス等で構成された通信インターフェースである。通信装置９２５は、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線又は無線によって接続されたネットワーク等により構成され、例えば、インターネット、家庭内ＬＡＮ、赤外線通信、ラジオ波通信又は衛星通信等であってもよい。
【００８３】  ＜＜４．補足＞＞  以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属する。
【００８４】  例えば、図９のＳ２１０において情報選択部３０６が情報提供装置１００からの数値情報が所定の閾値に達したことを判定することに代えて、情報選択部３０６は、情報提供装置１００からの数値情報が所定の期間に所定の閾値以上変動したことを検知し、当該変動した情報を描画すべき情報として選択してもよい。このように本実施形態の情報描画装置２００が構成されることによって、例えば医療行為者は大量の出血があることを認識することができる。
【００８５】  また、図９のＳ２０４、Ｓ２０８、Ｓ２１２およびＳ２１６において情報選択部３０６によって選択された情報は、所定の時間だけ表示されてもよい。例えば、Ｓ２０２において情報選択部３０６が情報提供装置１００の電源が投入されたことを検知し、Ｓ２０４において当該電源が投入された情報提供装置１００に関する情報を描画する情報として選択した場合、当該選択された情報は、所定の時間（例えば数秒間）だけ表示されてもよい。このように本実施形態の情報描画装置２００が構成されることによって、常時表示されることが必要でない情報がスクリーン６００に表示され続けることを防ぐことができる。
【００８６】  また、図９のＳ２０２またはＳ２１４において、情報提供装置１００の動作状態に変更があったこと、または情報提供装置１００の設定値が変更されたことが検知された場合、動作状態または設定値が変更されたことを示す表示が、数値情報およびヘッダ情報と共にスクリーン６００上に表示されてもよい。例えば、「変更されました。」というメッセージが、数値情報およびヘッダ情報と共にスクリーン６００上に表示されてもよい。
【００８７】  また、上述したスクリーン６００は複数配置されてもよく、複数配置されたスクリーン６００の各々に描画光を照射する照射部が設けられてもよい。このように複数のスクリーン６００が配置されることによってより多くの情報が医療行為者に提示される。
【００８８】  また、上述したコントローラ３００は汎用のプロセッサを用いて実現されてもよい。また、当該プロセッサを図７および図９において説明したように動作させるためのコンピュータプログラムが提供されてもよい。また、このようなプログラムが記憶された記憶媒体が提供されてもよい。
【００８９】  ＜＜５．むすび＞＞  以上説明したように、本開示の情報描画システムでは、無影灯８００の光の下で視認可能な照度を有する描画光によって、機器の設定値、血圧値、出血量などの定量的な数値をスクリーン６００上に描画する。この構成によって医療行為者は、視覚でも定量的な数値を確認することができるので、聞き間違いによる事故を防止することができる。また、術者１０と補助者との間の不要な会話が低減され、術者１０の負担が軽減される。また、術者１０と補助者との間の不要な会話が低減されることにより、手術時間の短縮がもたらされる。
【００９０】  また、本開示の情報描画システムでは、描画光の波長を選択的に反射するスクリーン６００が用いられる。これによって医療行為者は、描画光によって描画される情報を無影灯８００の光の下で容易に視認できる。
【００９１】  なお、以下のような構成も本開示の技術的範囲に属する。（１）  医療行為に伴って医療行為者が把握すべき定量的数値に関する情報を提供する情報提供装置から前記情報を取得する情報取得部と、  取得された前記情報に関する画像データを生成する画像データ生成部と、  前記画像データを描画するように、無影灯下で視認可能な照度を有する描画光を照射する光源の設置位置、または、前記描画光の照射位置を走査する光学系の稼働状態を制御する制御部と、を備える情報処理装置。（２）  前記光源はレーザ光源である、前記（１）に記載の情報処理装置。（３）  前記情報取得部は、前記定量的数値に関する情報とあわせて、前記情報の種別を表すヘッダ情報を取得する、前記（１）または（２）に記載の情報処理装置。（４）  前記情報取得部が前記情報提供装置から取得した前記情報のうちから描画する前記情報を選択する情報選択部を備える、前記（１）から３のいずれか１項に記載の情報処理装置。（５）  前記情報選択部は、医療行為者が操作する操作部からの出力に基づいて、描画する前記情報を選択する、前記（４）に記載の情報処理装置。（６）  医療行為と描画する前記情報とが関連付けられたデータベースを記憶する記憶部を備え、  前記情報選択部は、前記データベースを参照して前記医療行為に応じて、描画する前記情報を選択する、前記（４）に記載の情報処理装置。（７）  前記情報選択部は、前記情報提供装置の設定値の変更に応じて、表示する前記情報を選択する、前記（４）に記載の情報処理装置。（８）  前記情報選択部は、前記情報提供装置の動作状態に応じて、表示する前記情報を選択する、前記（４）に記載の情報処理装置。（９）  前記情報選択部は、前記情報提供装置が計測する数値の変化に基づいて、表示する前記情報を選択する、前記（４）に記載の情報処理装置。（１０）  前記情報選択部は、前記情報提供装置が計測する数値が所定の閾値に到達したことに基づいて、表示する前記情報を選択する、前記（９）に記載の情報処理装置。（１１）  前記情報取得部は、前記情報提供装置に表示されている情報を撮像する撮像装置からの撮像画像を処理して、前記情報提供装置に関する前記情報を取得する、前記（１）から１０のいずれか１項に記載の情報処理装置。（１２）  医療行為または患者の状態に関する情報を提供する情報提供装置から前記情報を取得することと、  取得された前記情報に関する画像データを生成することと、  前記画像データを描画するように、無影灯下で視認可能な照度を有する描画光を照射する光源の設置位置または前記描画光の照射位置を走査する光学系の稼働状態を制御することと、を含む情報処理方法。（１３）  プロセッサに、  医療行為または患者の状態に関する情報を提供する情報提供装置から前記情報を取得することと、  取得された前記情報に関する画像データを生成することと、  前記画像データを描画するように、無影灯下で視認可能な照度を有する描画光を照射する光源の設置位置または前記描画光の照射位置を走査する光学系の稼働状態を制御することと、を行わせるプログラム。（１４）  所定の材質から成る基板と、  前記基板上に、無影灯下で視認可能な照度を有する描画光を用いて画像を描画する情報描画装置からの前記描画光の波長について他の光の波長よりも高い反射率を有する選択反射層と、を備えるスクリーン。（１５）  前記選択反射層は、異なる屈折率を有する材質が交互に積層された多層膜から構成される、前記（１４）に記載のスクリーン。（１６）  前記選択反射層が形成される面の反対側または前記スクリーンの側面に、医療行為者の視野内に前記スクリーンを設置するための保持部を備える前記（１４）または（１５）に記載のスクリーン。（１７）  前記保持部は屈曲可能である、前記（１６）に記載のスクリーン。（１８）  前記選択反射層上に撥水層を備える、前記（１４）から１７のいずれか１項に記載のスクリーン。（１９）  無影灯下で視認可能な照度を有する描画光を照射する光源と、  前記描画光の照射位置を走査する光学系と、  医療行為に伴って医療行為者が把握すべき定量的数値に関する情報を提供する情報提供装置から前記情報を取得する情報取得部と、  取得された前記情報に関する画像データを生成する画像データ生成部と、  前記画像データを描画するように、前記光源の設置位置または前記光学系の稼働状態を制御する制御部と、を備える情報描画装置と、  所定の材質から成る基板と、  前記基板上に、前記情報描画装置からの前記描画光の波長に対して他の光の波長よりも高い反射率を有する選択反射層と、を備えるスクリーンから構成される、情報描画システム。
【符号の説明】
【００９２】  １０    術者  １２    器具出し補助者  １４    外回り補助者  １６    麻酔科医  １８    患者  １００    情報提供装置  １２０    撮像装置  ２００    情報描画装置  ３００    コントローラ  ３０２    操作部  ３０４    情報取得部  ３０６    情報選択部  ３０８    画像データ生成部  ３１０    制御部  ３１２    記憶部  ４００    光源  ４０２    光照射部  ５００    光学系  ５０２    スキャンミラー  ５０４    スキャンレンズ  ５０６    結像レンズ  ６００    スクリーン  ６０２    ヘッダ情報表示領域  ６０４    数値情報表示領域  ６０６    基板  ６０８    光吸収層  ６１０    選択反射層  ６１２    高屈折率膜  ６１４    低屈折率膜  ６１６    保持部  ７００    ドレープ  ８００    無影灯
【図１】
2018131262.tif 000003
【図２】
2018131262.tif 000004
【図３】
2018131262.tif 000005
【図４】
2018131262.tif 000006
【図５】
2018131262.tif 000007
【図６】
2018131262.tif 000008
【図７】
2018131262.tif 000009
【図８】
2018131262.tif 000010
【図９】
2018131262.tif 000011
【図１０】
2018131262.tif 000012
【図１１】
2018131262.tif 000013
【図１２】
2018131262.tif 000014
【図１３】
2018131262.tif 000015
【図１４】
2018131262.tif 000016
【図１５】
2018131262.tif 000017
【図１６】
2018131262.tif 000018
【図１７】
2018131262.tif 000019
【図１８】
2018131262.tif 000020
【図１９】
2018131262.tif 000021
【図２０】
2018131262.tif 000022
【図２１】
2018131262.tif 000023
【図２２】
2018131262.tif 000024
【図２３】
2018131262.tif 000025
【国際調査報告】
2018131262.tif 000026
2018131262.tif 000027
2018131262.tif 000028
2018131262.tif 000029
2018131262.tif 000030
2018131262.tif 000031